(57)【要約】【課題】複数の人が同時に同じ画面を見ることができるノート型およびデスクトップ型のパーソナルコンピュータを提供することを目的とする。そのために、ディスプレイを複数の人が見やすい角度から見ることができ、商談等での非能率さを解消する一方、ゲーム、映画等娯楽の楽しさを複数の人が共有できるパーソナルコンピュータを提供する。【解決手段】主表示装置とは別に、副表示装置を備えることを特徴とするパーソナルコンピュータである。【選択図】　　　図３
0003098066.tif 000002
【実用新案登録請求の範囲】
【請求項１】
主表示装置とは別に、副表示装置を備えることを特徴とするパーソナルコンピュータ。
【請求項２】
主表示装置の裏面側に、副表示装置を備えることを特徴とする請求項１記載のパーソナルコンピュータ。
【請求項３】
主表示装置と同じ正面側に、副表示装置を備えることを特徴とする請求項１記載のパーソナルコンピュータ。
【請求項４】
主表示装置の裏面側に、副表示装置を備えるとともに、前記主表示装置と同じ正面側に、副表示装置を備えることを特徴とする請求項１記載のパーソナルコンピュータ。
【考案の詳細な説明】
【０００１】
【考案の属する技術分野】
この考案は、パーソナルコンピュータの出力装置であるディスプレイに関する。詳しくは、多面のディスプレイを備え、複数の人が同時に同じ画面を見ることができるノート型およびデスクトップ型のパーソナルコンピュータに関する。また、商用で、プレゼンテーションを実施する際に使い勝手がよく、ゲーム、映画等の娯楽を複数の人で楽しむことができるようにしたパーソナルコンピュータを提供する。
【０００２】
液晶ディスプレイは、ブラウン管式に比べて薄型で軽量であるため、また、消費電力が少ないこと等から持ち運びができるノート型のパーソナルコンピュータとして使用量が増加している。例えば、訪問販売や出張販売、あるいは、出先に持ち込み、商談やプレゼンテーションのために、仕様書、見積書等の書類や図面、写真等を顧客の好みに応じて、表示するために使用される。また、移動中の車、新幹線等の車両、飛行機の中で手軽に書類の作成、メールのチェック等にも使用される。
【従来の技術】
【０００３】
しかしながら、複数の人がパーソナルコンピュータの画面を覗く時は、例えば、販売員と顧客が図１に示すようなノート型パーソナルコンピュータ１０のディスプレイ１の側に並び、端の人は斜めから画面を見ることになる。そうでなければ、販売員がパーソナルコンピュータをその都度持ち上げ、ディスプレイ１の方向を顧客側に向け、販売員は画面を見ずに説明しなければならないという不便さがある。そのため、商談の際、帳票、見積書等の数値あるいは図を並んで確認できないという非能率さがある。このように、スピードと正確さが求められる商談に追随できないという問題が生じている。一方、液晶ディスプレイは、画面の見え易い範囲に制限があるため、複数の人が、斜めから画面を見る時に、見難いという問題がある。例えば、複数の友人同士が、パーソナルコンピュータでＤＶＤソフトの映画鑑賞をすることが考えられるが、並んだ端の人は、見難い角度から画面をみることになる。
【０００４】
一方、ノート型パーソナルコンピュータを出先ではなく、事務所や家庭の中で使用する場合も多い。例えば、ある特定の作業画面を表示した状態で、文書を検索したり、画像処理をする場合には、一旦、作業画面をディスプレイから消した状態にして見たい画面を呼び出す。次いで、その画面の情報量が多い場合には、それらを紙にプリントアウトすることになる。コンピュータの普及は、紙の消費量を低減できると期待されてきたにもかかわらず、それに応えきれてない。
【０００５】
また、ある特定の作業画面を表示した状態で、見たい画面を呼び出したうえで、その画面を作業画面と並べて両方を画面に表示することになるが、この場合、それぞれの表示画面の大きさが小さくなるので、画面が見難く、かつ、スクロール操作を多用せざるをえない。
【０００６】
【考案が解決しようとする課題】
本考案は、上記事情に鑑みて、多面のディスプレイを備えることにより、複数の人が同時に同じ画面を見ることができるようなノート型およびデスクトップ型のパーソナルコンピュータを提供することを目的とする。そのために、ディスプレイを複数の人が見やすい角度から見ることができ、商談等での非能率さを解消する一方、ゲーム、映画等娯楽の楽しさを複数の人が共有できるパーソナルコンピュータを提供する。
【０００７】
【課題を解決するための手段】
上記目的を達成するために、請求項１の考案は、主表示装置とは別に、副表示装置を備えることを特徴とするパーソナルコンピュータである。
【０００８】
また、請求項２の考案は、請求項１の考案の上記特徴に加えて、主表示装置の裏面側に、副表示装置を備えるものである。
【０００９】
請求項３の考案は、主表示装置と同じ正面側に、副表示装置を備えるものである。
【００１０】
請求項４の考案は、主表示装置の裏面側に、副表示装置を備えるとともに、主表示装置と同じ正面側に、副表示装置を備えるものである。
【００１１】
【考案の実施の形態】
本考案にかかわるパーソナルコンピュータに、キーボード等の入力装置、画像あるいは音声データの処理装置、出力装置、中央演算装置、主記憶装置の他、補助記憶装置であるＨＤＤ、ＦＤ、ＭＯ、ＣＤ−ＲＯＭのドライバ装置等が内臓あるいは外付けされていることは、従来のパーソナルコンピュータと同様である。また、入力装置の一種で、マウスあるいはタッチパッド等のポインティングデバイスを付属しているのも同様である。
【００１２】
本考案の第一実施例を図面に基づいて説明する。本考案の第一実施例による、二つのディスプレイを備えたパーソナルコンピュータの斜視図を図２に示す。ノート型パーソナルコンピュータ２０は、主表示装置である正面の第１ディスプレイ１１とこの裏面にある副表示装置の第２ディスプレイ２１とからなる。その他、第１ディスプレイ１１の周縁部には、電源ボタン、輝度調整ボタン、コントラスト調整ボタン、音量調整ボタン、スピーカ等を含む操作ボタン列１２が備えられている。そして、この傍に第２ディスプレイの画面を開くためのボタン１５が備えられている。また、第２ディスプレイ２１の周縁部にも、輝度調整ボタン、コントラスト調整ボタン、音量調整ボタン、スピーカ等を含む操作ボタン列２２が備えられている。
【００１３】
次に、このように構成されているパーソナルコンピュータを使用する場合の手順、動作について説明する。一人で使用する場合には、従来と同様に、電源をオンして第１ディスプレイ１１の画面を開く。次いで、二人あるいはそれ以上の人に画面を見せるために、自分がキーボード１３およびタッチパッド１４を使って、主表示装置であるディスプレイ１１の画面を操作する。第２ディスプレイ２１については、相手が裏面側から、ヒンジ１６の角度を見易い角度に調整し、輝度、コントラスト、音量等を操作ボタン列２２で調節する。ここで、第２ディスプレイ２１の画面は裏面側に表示されるように設定してある。
【００１４】
ここで、第２ディスプレイ２１の操作ボタン列２２は、第１ディスプレイ１１の操作ボタン列１２とは電気的に別回路を構成し、ケーブル等の手段でボタン１５と電気的に接続する。通常、画面はディスプレイ１１側に初期設定されているが、相手に画面を見せる時は、ボタン１５を操作することによりディスプレイ２１の画面を開く。第２ディスプレイ２１の液晶パネルは、破損し易いので、携帯の際は、専用のパーソナルコンピュータのケースあるいは保護カバーを使用するようにするとよい。また、本実施例では、キーボード１３のある側を正面と呼び、その反対側を裏面と呼ぶ。以下の実施例についても同様である。
【００１５】
次に、本考案の第二実施例について、図３を参照しながら説明する。本図は、二つのディスプレイを備えたパーソナルコンピュータの斜視図である。本実施例の第一実施例との主たる相違点は、第２ディスプレイの配置であり、これを第１ディスプレイの側面側に引き出すようにした点にある。第１ディスプレイ１１の裏面に箱１８を設け、この中に第２ディスプレイ２１を出し入れ可能に収納したものである。
【００１６】
図に示すように、ノート型パーソナルコンピュータ２０は、正面の主表示装置である第１ディスプレイ１１とこの側面側に引き出される副主表示装置の第２ディスプレイ２１とからなる。ここで、第２ディスプレイ２１は、通常は箱１８に収納されている。二人あるいはそれ以上の人に画面を見せる場合は、第２ディスプレイを引き出す。ここで、第２ディスプレイ２１の画面は裏面側に表示されるように設定してある。第１ディスプレイ１１の周縁部には、電源ボタン、輝度調整ボタン、コントラスト調整ボタン、音量調整ボタン、スピーカ等を含む操作ボタン列１２が備えられている。そして、この傍に、第２ディスプレイを開くためのボタン１５が備えられていること等は、第一実施例と同様である。また、輝度調整ボタン、コントラスト調整ボタン、音量調整ボタン、スピーカ等を含む操作ボタン列２２は、裏面の第２ディスプレイ２１の周縁部に備えられている。
【００１７】
本実施例のパーソナルコンピュータを使用する場合の手順、動作について説明する。一人で使用する場合には、従来と同様である。二人あるいはそれ以上の人に画面を見せるために、箱１８から第２ディスプレイ２１を第１ディスプレイの側面側に引き出す。次に、第２ディスプレイ２１の周縁に備えた操作ボタン列２２により、相手が第２ディスプレイの輝度、コントラスト、音量等を調節する。持ち運びの際は、箱１８の中に第２ディスプレイ２１を収納できるので、コンパクトになり便利である。
【００１８】
次に、第三実施例について、図４を参照しながら説明する。二つのディスプレイを備えたパーソナルコンピュータの斜視図である。本実施例の第二実施例との主たる相違点は、第１ディスプレイの周縁部のヒンジ１７を軸として、第２ディスプレイを回転可能に設置したことである。
【００１９】
図に示すように、ノート型パーソナルコンピュータ２０は、主表示装置である第１ディスプレイ１１とこの側面側の副表示装置の第２ディスプレイ２１とからなる。ここで、第２ディスプレイの画面は裏面側に表示されるように設定してある。第１ディスプレイ用の操作ボタン列１２とこの傍に、第２ディスプレイを開くためのボタン１５が備えられていること等は、第一、第二実施例と同様である。また、第２ディスプレイ用の輝度調整ボタン、コントラスト調整ボタン、音量調整ボタン、スピーカ等を含む操作ボタン列２２は、第２ディスプレイ２１の周縁部に備えられている。一人で使用する場合には、従来と同様である。二人あるいはそれ以上の人が画像を見る場合は、相手がヒンジ１６あるいはヒンジ１７の角度を調節することにより、第２ディスプレイ２１を見易く調整する。同時に相手が第２ディスプレイ２１の画面表示側に備えた操作ボタン列２２で、輝度、コントラスト、音量等を調節する。
【００２０】
次に、本考案の第四実施例について、図５を参照しながら説明する。本実施例の第一、第二および第三実施例との主たる相違点は、三つのディスプレイを備えるところにある。
【００２１】
図に示すように、ノート型パーソナルコンピュータ２０は、正面の主表示装置である第１ディスプレイ１１と、この裏面側に副表示装置の第２ディスプレイ２１および正面に副表示装置の第３ディスプレイ３１とからなる３面ディスプレイの方式である。第２ディスプレイ２１は、第１ディスプレイの裏面側に位置する。また、第３ディスプレイ３１は第１ディスプレイ１１の側面側に引き出されるものである。第３ディスプレイ３１は、常時は、箱１８の中に収納されており、複数の人で見る時のみ引き出す。第１ディスプレイ１１の周縁部には、操作ボタン列１２が備えられている。そして、この傍に第２ディスプレイあるいは第３ディスプレイを開くためのボタン３５が備えられている。また、このボタン３５は、タッチパッド１４によって第３ディスプレイの画面を、自分でスクロール操作できるようにする兼用のボタンである。ここで、第１ディスプレイおよび第３ディスプレイの画面は、正面に表示され、第２ディスプレイの画面は裏面に表示されるように設定してある。
【００２２】
第１ディスプレイおよび第２ディスプレイの使い方は、第一、第二および第三実施例と同様であるので、ここでは、第３ディスプレイの設置の狙い、背景、使い方等について説明する。使用方法の一は、近年、ＤＶＤが再生可能なドライバ装置の普及により、パーソナルコンピュータを使用して複数の友人同士で映画等を見ることが考えられるが、並んだ端の人は、見ずらい角度から画面をみるしかないという問題がある。このような場合、正面にディスプレイが二つあるので、並んで映画を鑑賞できる。使用方法の二は、ある特定の作業画面を表示した状態で、例えば、文書を検索したり、画像処理をする場合には、作業画面を第１ディスプレイに残したままの状態で、第３ディスプレイに見たい画面を呼び出し表示する。こうして、作業画面とその画面が第１ディスプレイおよびこれと同じ正面側の第３ディスプレイに並べて表示されるので、両方を大きな画面で見ることができる。
【００２３】
主表示装置であるディスプレイ１１の周縁に設けたボタン３５と副表示装置のディスプレイ３１用の操作ボタン列３２とは、ケーブル等の手段で電気的に接続する。また、第３ディスプレイは、第１ディスプレイの側面にヒンジで取り付けてもよい。また、タッチパッド１４と第３ディスプレイ３１とはケーブル等の手段で電気的に接続し、自分で第３ディスプレイの画面を自由にスクロール操作できるようにする。主表示装置である第１ディスプレイの側面の両側に副表示装置のディスプレイを設け、第３ディスプレイおよび第４ディスプレイとしてもよい。
【００２４】
本実施例では、従来のパーソナルコンピュータが一画面しか備えていないことに起因する使い勝手の悪さを改善したものである。プリントアウトする頻度が減り、あるいは画面をスクロールする操作が減るので、作業効率が上がるし、プリントする紙の消費量を低減できる。また、参照画面の大きさを縮小しないので、画面が見易い。
【００２５】
次に、本考案の第五実施例について、図６、図７を参照しながら説明する。本実施例の第一、第二、第三および第四実施例との主たる相違点は、使い方により裏面あるいは正面から第２ディスプレイの画面を見ることができるようにしたところにある。
【００２６】
図６、図７に示すように、ノート型パーソナルコンピュータ２０は、正面の主表示装置である第１ディスプレイ１１と、副表示装置の第２ディスプレイ２１とからなる２面ディスプレイの方式である。図６の使い方では、第２ディスプレイ２１は、第１ディスプレイの裏面側に位置する。図７の使い方では、第２ディスプレイ２１は、第１ディスプレイの上側で、これと同じ正面側に位置する。第１ディスプレイ１１の周縁部には、操作ボタン列１２が備えられている。そして、この傍に第２ディスプレイを開くためのボタン１５が備えられている。また、このボタン１５は、タッチパッド１４によって第２ディスプレイの画面を、スクロール操作する兼用のボタンである。このタッチパッド１４と第２ディスプレイ２１とはケーブル等の手段で電気的に接続し、自分で第２ディスプレイの画面を自由にスクロール操作できるようにする。
【００２７】
第１ディスプレイの使い方は、第一、第二、第三および第四実施例と同様であるので、ここでは、第２ディスプレイの使い方について説明する。使用方法の一は、図６に示すようにヒンジ１７の角度を調整して第２ディスプレイを裏面側に折り曲げる。そして相手は裏面側から第２ディスプレイの画面を見る。使用方法の二は、図７に示すようにヒンジ１７を調整して第２ディスプレイを第１ディスプレイの上側に立て、正面側に向ける。そして、正面側から第２ディスプレイの画面を見る。第四実施例における第２ディスプレイの使い方と同様、参照画面を第１ディスプレイと同じ正面側の第２ディスプレイに表示でき、便利である。また、同様に、従来のパーソナルコンピュータが一画面しか備えていないことに起因する使い勝手の悪さを改善したものであり、画面をプリントアウトする頻度が減る等の効果がある。
【００２８】
なお、本考案の実施例では、ノート型のパーソナルコンピュータとして図示および説明をしてきたが、本考案のパーソナルコンピュータは、ノート型に限らず、デスクトップ型の液晶ディスプレイや、あるいは、ノート型のような小型だけではなく大型の液晶ディスプレイにも応用可能である。また、本考案のパーソナルコンピュータは、液晶ディスプレイに限らず、プラズマディスプレイ等にも勿論適用可能である。
【００２９】
【考案の効果】
以上に説明したように、本考案にかかわるパーソナルコンピュータは、多面のディスプレイを備えることに着目したもので、同時に複数の人が、同じ画面を見やすい角度から見ることができる。その結果、商談等で、販売員がパーソナルコンピュータを必要の都度持ち上げ、ディスプレイの方向を顧客側に向ける等の面倒さ、非能率さが解消される。また、複数の人が、ゲーム、映画鑑賞等娯楽の楽しさを一緒に共有できるような効果を奏するものである。
【図面の簡単な説明】
【図１】従来のパーソナルコンピュータの斜視図である。
【図２】本考案の第一実施例によるパーソナルコンピュータの斜視図である。
【図３】本考案の第二実施例によるパーソナルコンピュータの斜視図である。
【図４】本考案の第三実施例によるパーソナルコンピュータの斜視図である。
【図５】本考案の第四実施例によるパーソナルコンピュータの斜視図である。
【図６】本考案の第五実施例によるパーソナルコンピュータの斜視図である。
【図７】同上、パーソナルコンピュータの斜視図である。
【符号の説明】
１　ディスプレイ
２　操作ボタン列
３　キーボード
４　タッチパッド
６　ヒンジ
１０　ノート型パーソナルコンピュータ
１１　第１ディスプレイ
１２　第１操作ボタン列
１３　キーボード
１４　タッチパッド
１５　ボタン
１６　ヒンジ
１７　ヒンジ
１８　箱
２０　ノート型パーソナルコンピュータ
２１　第２ディスプレイ
２２　第２操作ボタン列
３１　第３ディスプレイ
３２　第３操作ボタン列
３５　ボタン
【図１】
0003098066.tif 000003
【図２】
0003098066.tif 000004
【図３】
0003098066.tif 000005
【図４】
0003098066.tif 000006
【図５】
0003098066.tif 000007
【図６】
0003098066.tif 000008
【図７】
0003098066.tif 000009